(57)【要約】【課題】一体の作動杆でガラス扉及び前枠の解錠を行うことができ、部品点数を減らすことができる遊技機における施錠装置を提供する。【解決手段】施錠装置１７の支持体１８には作動杆４６及びガラス扉作動体５２が設けられている。支持体１８には外枠の外枠係合金具に係合する上部及び下部外枠鉤部４３，４４が設けられ、前記ガラス扉作動体５２には、ガラス扉のガラス扉係合金具に係合するガラス扉鉤部５３，５４が設けられている。シリンダ錠３７によるガラス扉の解錠操作によって作動杆４６を作動させ、ガラス扉作動体５２を作動させることにより、ガラス扉鉤部５３，５４とガラス扉との係合を解除することができる。また、前枠の解錠操作によって作動杆４６を作動させることにより、上部及び下部外枠鉤部４３，４４を傾動させ、上部及び下部外枠鉤部４３，４４と外枠係合金具との係合を解除できる。【選択図】　　　図１
2004049304.tif 000002
【特許請求の範囲】
【請求項１】
外枠と、遊技盤が保持されて外枠の前面に開閉可能に支持される前枠と、前枠の前面に開閉可能に支持されるガラス扉とから構成される遊技機の前記前枠に取着され、前枠を外枠に施錠するとともに、ガラス扉を前枠に施錠する遊技機における施錠装置であって、前枠に固定される支持体には、同支持体に傾動可能に設けられ、前枠を外枠に施錠すべく当該外枠に係合する外枠鉤部と、ガラス扉を前枠に施錠すべく当該ガラス扉に係合するガラス扉鉤部と、各鉤部の解錠操作を行う錠部材と、錠部材によるガラス扉の解錠操作をガラス扉鉤部に伝達すべく当該ガラス扉鉤部が一体形成されたガラス扉作動体と、錠部材による前枠の解錠操作を外枠鉤部に伝達し、前枠を解錠する機能及び錠部材によるガラス扉の解錠操作をガラス扉作動体に伝達し、ガラス扉を解錠する機能を有する作動杆とが設けられているとともに、前記ガラス扉作動体には、ガラス扉作動体の移動を規制すべく支持体の係合部位に係合可能なロック体が設けられ、前記作動杆はロック体を作動させて同ロック体と、係合部位との係合関係を解除させる機能を有することを特徴とする遊技機における施錠装置。
【請求項２】
前記外枠鉤部は、同外枠鉤部の基端側が、支持体に形成された鉤部固定板に傾動可能に取り付けられ、当該外枠鉤部の基端には、同外枠鉤部の傾動量を規制すべく鉤部固定板に当接する傾動規制片が形成されていることを特徴とする請求項１に記載の遊技機における施錠装置。
【請求項３】
前記外枠鉤部にはロック杆が取り付けられ、支持体には、外枠鉤部と外枠との係合状態で、当該外枠鉤部の傾動を規制すべくロック杆に係合するロック部材が設けられていることを特徴とする請求項１又は請求項２に記載の遊技機における施錠装置。
【発明の詳細な説明】
【０００１】
【発明の属する技術分野】
本発明は、パチンコ遊技機等の遊技機において、遊技盤が設けられた前枠を外枠に施錠するとともに、ガラス扉を前枠に施錠するための遊技機における施錠装置に関するものである。
【０００２】
【従来の技術】
従来より、遊技機の一種であるパチンコ遊技機は、その外郭が縦長四角枠状をなす外枠と、外枠に開閉可能に支持される前枠と、前枠の内側に保持される遊技盤とから構成されている。また、前枠の前面には、四角板状をなすガラス扉が開閉可能に支持され、パチンコ遊技機前面から遊技盤が視認可能となっている。そして、前枠の一側には施錠装置が装着され、その施錠装置により外枠に対して前枠を施錠できるとともに、前枠に対してガラス扉を施錠できるようになっている。
【０００３】
この種の遊技機における施錠装置は、前枠に固定される支持体を備え、その支持体には、鍵によって回転操作可能なシリンダ錠が設けられている。また、支持体の内側には、前記シリンダ錠の解錠操作によって作動する外枠作動体が摺動可能に設けられ、その外枠作動体の上下両端部には、外枠に設けられた係合金具に係合可能な外枠用鉤部が傾動可能に軸支されている。さらに、支持体の内側にはガラス扉作動体が摺動可能に設けられ、そのガラス扉作動体の両端部には、ガラス扉に設けられた係合金具に係合可能なガラス扉用鉤部が備えられている。
【０００４】
また、支持体には、ガラス扉用鉤部とガラス扉の係合金具との係合状態を維持し、ガラス扉の不正解錠を防止するためのロック部材が取り付けられ、ガラス扉作動体には、前記ロック部材が係合する係合部材が設けられている。さらに、支持体には、前記ロック部材と係合部材との係合を解除し、ガラス扉を解錠するためのロック解除部材が設けられている。
【０００５】
そして、ガラス扉を解錠するには、シリンダ錠によるガラス扉の解錠操作によってロック解除部材が作動してロック部材を作動させ、ロック部材の係合部材に対する係合が解除される。さらに、ガラス扉作動体が作動し、各ガラス扉用鉤部が係合金具から離脱して前枠からガラス扉が解錠される。また、外枠から前枠を解錠するには、シリンダ錠による前枠の解錠操作を行うと、外枠作動体が作動して外枠用鉤部が係合金具から離脱して外枠から前枠が解錠される。
【０００６】
【発明が解決しようとする課題】
ところが、上記従来の施錠装置において、ガラス扉の解錠を行うには、シリンダ錠の解錠操作によって、ロック解除部材を作動させてガラス扉作動体を作動させなければならない。また、前枠の解錠を行うには、シリンダ錠の解錠操作により外枠作動体を作動させなければならない。即ち、各解錠操作毎に別々の作動体を作動させなければならず、遊技機における施錠装置の部品点数が多くなるという問題があった。本発明は、上記従来技術に存在する問題点に着目してなされたものである。その目的とするところは、一体の作動杆でガラス扉及び前枠の解錠を行うことができ、部品点数を減らすことができる遊技機における施錠装置を提供することにある。
【０００７】
【課題を解決するための手段】
上記問題点を解決するために、請求項１に記載の発明は、外枠と、遊技盤が保持されて外枠の前面に開閉可能に支持される前枠と、前枠の前面に開閉可能に支持されるガラス扉とから構成される遊技機の前記前枠に取着され、前枠を外枠に施錠するとともに、ガラス扉を前枠に施錠する遊技機における施錠装置であって、前枠に固定される支持体には、同支持体に傾動可能に設けられ、前枠を外枠に施錠すべく当該外枠に係合する外枠鉤部と、ガラス扉を前枠に施錠すべく当該ガラス扉に係合するガラス扉鉤部と、各鉤部の解錠操作を行う錠部材と、錠部材によるガラス扉の解錠操作をガラス扉鉤部に伝達すべく当該ガラス扉鉤部が一体形成されたガラス扉作動体と、錠部材による前枠の解錠操作を外枠鉤部に伝達し、前枠を解錠する機能及び錠部材によるガラス扉の解錠操作をガラス扉作動体に伝達し、ガラス扉を解錠する機能を有する作動杆とが設けられているとともに、前記ガラス扉作動体には、ガラス扉作動体の移動を規制すべく支持体の係合部位に係合可能なロック体が設けられ、前記作動杆はロック体を作動させて同ロック体と、係合部位との係合関係を解除させる機能を有することを要旨とする。
【０００８】
請求項２に記載の発明は、請求項１に記載の遊技機における施錠装置において、前記外枠鉤部は、同外枠鉤部の基端側が、支持体に形成された鉤部固定板に傾動可能に取り付けられ、当該外枠鉤部の基端には、同外枠鉤部の傾動量を規制すべく鉤部固定板に当接する傾動規制片が形成されていることを要旨とする。
【０００９】
請求項３に記載の発明は、請求項１又は請求項２に記載の遊技機における施錠装置において、前記外枠鉤部にはロック杆が取り付けられ、支持体には、外枠鉤部と外枠との係合状態で、当該外枠鉤部の傾動を規制すべくロック杆に係合するロック部材が設けられていることを要旨とする。
【００１０】
【発明の実施の形態】
以下、本発明を具体化した実施形態を図１〜図７に基づいて詳細に説明する。図６に示すように遊技機の一種であるパチンコ遊技機１１は、その外郭が縦長四角枠状をなす外枠１２により形成され、この外枠１２の前面には、四角枠状をなす前枠１３が開閉可能に支持されている。この前枠１３には、図示しない打球発射装置、球皿等のパチンコゲームを展開可能とする遊技構成部材が搭載できるとともに、前枠１３の内側には遊技盤１４が保持されるようになっている。この遊技盤１４の前面には、図示しない釘、入賞器具等の遊技構成部材が設けられ、背面にはプリント基板等の遊技構成部材が搭載されている。
【００１１】
前枠１３の前面には四角板状のガラス扉１５が開閉可能に支持され、パチンコ遊技機１１前面から遊技盤１４が視認可能となっている。さらに、ガラス扉１５の下方には、図示しないパチンコ球を貯留するための上皿を備えた長四角板状の上皿扉１６が前枠１３の前面に開閉可能に支持されている。
【００１２】
図７に示すように、前枠１３の一側には縦長四角状の施錠装置１７が装着され、ガラス扉１５及び上皿扉１６を前枠１３に施錠できるとともに、前枠１３を外枠１２に施錠できるようになっている。なお、以下において上下左右は、パチンコ遊技機１１を前方から見た場合の上下左右を示すものとする。
【００１３】
図１及び図２（ａ）に示すように、施錠装置１７は、亜鉛メッキ鋼板等の金属板から形成され、断面略コ字状をなすとともに、上下方向に延びるように形成された支持体１８によって外郭が形成されている。この支持体１８は、縦長四角板状の固定板１８ａと、固定板１８ａの左側から背面方向に折り曲げ形成された側板１８ｂと、固定板１８ａの右側から背面方向に折り曲げ形成されたリブ１８ｃとから構成されている。
【００１４】
前記側板１８ｂの上部及び中央部にはそれぞれ上下方向に延びる取付長孔１８ｄが形成され、下側の取付長孔１８ｄの下側には、第１ばね掛止片１８ｆが形成されている。また、側板１８ｂの中央の背面側端縁には、支持体１８内に向かって延びる係合突片１８ｇが係合部位として切り起こし形成されている。
【００１５】
加えて、固定板１８ａの上端側には第２ばね掛止片１８ｅが形成され、さらに、固定板１８ａのほぼ中央には、ロック部材取付板１８ｈが切り起こし形成され、そのロック部材取付板１８ｈには、第３ばね掛止片１８ｊが形成されている。そして、図７に示すように、固定板１８ａの前面が前枠１３の背面の一側に当接され、ビス等の固定部材によって、施錠装置１７は前枠１３に固定されている。
【００１６】
まず、前記上皿扉１６の前枠１３に対する施錠機構について詳述する。図１及び図２（ｂ）に示すように、側板１８ｂの下端の内側には長四角形状の上皿扉作動体２０が上下動可能に設けられている。図１及び図２（ａ）に示すように、この上皿扉作動体２０の前面の上下両部には、それぞれ四角板状の上皿扉鉤部２１が前方に延びるように設けられ、各上皿扉鉤部２１の上面にはそれぞれ係合凹所２３が凹設されている。
【００１７】
図１に示すように、この上皿扉作動体２０の上側及び下側にはそれぞれの取付孔２５が上下方向に延びるように形成されている。また、上皿扉作動体２０の下端側には、取付板２７が右方向に延びるように折り曲げ形成されている。その取付板２７には下方に延びる第４ばね掛止片２７ａが切り起こし形成されている。
【００１８】
そして、各上皿扉鉤部２１を固定板１８ａを貫通させ、さらに、各取付孔２５に挿通されたリベット（図示せず）をそれぞれ側板１８ｂにかしめ着けすることにより、上皿扉作動体２０が支持体１８に上下動可能に取り付けられている。このとき、図２（ａ）に示すように、両上皿扉鉤部２１は施錠装置１７の前面側へ突出している。また、図１に示すように、上皿扉作動体２０の上端には、手動上皿扉解除片２８が左方向に延びるように折り曲げ形成され、この手動上皿扉解除片２８は側板１８ｂを貫通している。
【００１９】
次に、前枠１３の外枠１２に対する施錠機構について詳述する。図１に示すように、固定板１８ａの上部には背面横台形状のシリンダ錠固定部３６が形成されている。シリンダ錠固定部３６には、錠部材としてのシリンダ錠３７の基端部が装着され、その先端側は固定板１８ａの表面に突出した状態となっている。シリンダ錠３７の基端には、背面視略Ｖ字状のカム板３８が錠軸３９に軸着され、シリンダ錠３７の先端側から鍵（図示せず）を挿入して解錠操作を行うべく回転させると、カム板３８は錠軸３９を中心に鍵の回転方向と同一方向に回転するようになっている。
【００２０】
カム板３８には、舌片状の第１脚片３８ａが段差部分を介してカム板３８の中央から斜め上方に向かって延設されている。また、カム板３８には舌片状の第２脚片３８ｂがカム板３８の中央から斜め下方に向かって延設されている。固定板１８ａの上下側にはそれぞれ四角板状の上部鉤部固定板４１及び下部鉤部固定板４２が背面方向に折り曲げ形成されている。
【００２１】
これら上部及び下部鉤部固定板４１、４２は、側板１８ｂと平行になるように支持体１８の内側に位置し、基端側にはそれぞれ固定板長孔４１ａ，４２ａが形成されている。図２（ａ）に示すように、各鉤部固定板４１、４２には、それぞれ略三角板状の上部外枠鉤部４３及び下部外枠鉤部４４の基端側がリベットＲ１でかしめ着けされることによって傾動可能に取り付けられている。
【００２２】
図１に示すように、各外枠鉤部４３、４４の中央には、それぞれ上方に向かって開口する係合凹所４３ａ，４４ａが凹設され、各外枠鉤部４３、４４の先端は端部に向かうに従って下方に傾斜するように形成されている。また、上部及び下部外枠鉤部４３，４４の基端の上下両部にはそれぞれ上部及び下部外枠鉤部４３，４４の傾動量を規制する一対の傾動規制片４３ｂ、４４ｂが右方向に延びるように折り曲げ形成されている。一対の傾動規制片４３ｂ，４４ｂは上部及び下部外枠鉤部４３，４４の基端側が傾動する際に描く軌跡上に位置するように形成されている。
【００２３】
また、図２（ａ）、（ｂ）に示すように、上部外枠鉤部４３の上側の傾動規制片４３ｂと、前記第２ばね掛止片１８ｅとにはそれぞれ第２コイルばねＣ２の各端部が掛止されている。そして、その第２コイルばねＣ２の付勢力により、上部外枠鉤部４３はその先端側が上方へ傾動するように付勢されている。さらに、下部外枠鉤部４４の上側の傾動規制片４４ｂと、前記第４ばね掛止片２７ａとにはそれぞれ第４コイルばねＣ４の各端部が掛止され、その第４コイルばねＣ４の付勢力により、下部外枠鉤部４４はその先端側が上方へ傾動するように付勢されている。
【００２４】
図２（ａ）に示すように、これら上部及び下部外枠鉤部４３，４４は施錠装置１７の背面側へ突出している。そして、前記係合凹所４３ａ，４４ａが、図７に破線に示す外枠１２の右端に設けられた一対の外枠係合金具４５にそれぞれ係合されることによって、外枠１２に前枠１３が施錠されるようになっている。
【００２５】
図１に示すように、側板１８ｂと前記上部及び下部鉤部固定板４１，４２との間には、長四角板状の作動杆４６が上下動可能に設けられている。作動杆４６の上下両端にはそれぞれ作動杆４６の移動方向、即ち上下方向に延びる作動長孔４６ａが貫設され、図２（ａ）に示すように、各作動長孔４６ａから上部及び下部外枠鉤部４３，４４にリベットＲ２がかしめ着けられるている。上部及び下部外枠鉤部４３，４４にかしめ着けられたリベットＲ２は、それぞれ上部及び下部鉤部固定板４１，４２の固定板長孔４１ａ，４２ａ内に位置している。そして、上記作動杆４６は、前記シリンダ錠３７による前枠１３の解錠操作を上部及び下部外枠鉤部４３，４４に伝達する機能を有している。
【００２６】
図１に示すように、作動杆４６の中央より上側には、前記第１脚片３８ａが係止可能な長四角形状の第１係止長孔４６ｂが形成され、その第１係止長孔４６ｂの下側には、前記第２脚片３８ｂが係止可能な長四角形状の第２係止長孔４６ｃが形成されている。また、作動杆４６のほぼ中央の背面側縁部には背面側に延びる押出片４６ｄが形成され、作動杆４６の下側には、作動杆ばね掛止片４６ｅが下方向に延びるように切り起こし形成されている。
【００２７】
図２（ａ）、（ｂ）に示すように、前記作動杆ばね掛止片４６ｅには第１コイルばねＣ１の一端部が掛止され、作動杆４６を貫通した前記第１コイルばねＣ１の他端部は前記第１ばね掛止片１８ｆに掛止されている。そして、その第１コイルばねＣ１の付勢力により、作動杆４６は上方へ付勢されている。なお、作動杆４６が第１コイルばねＣ１の付勢力に抗して押し下げられると、前記リベットＲ２に沿うように作動長孔４６ａが下方へ移動する。そのため、その作動長孔４６ａの長さ分だけ作動杆４６のみが移動し、リベットＲ２と作動長孔４６ａとが干渉せず、上部及び下部外枠鉤部４３，４４は傾動しない。
【００２８】
図１及び図２（ｂ）に示すように、作動杆４６の上部左側には、ロック杆４７が取り付けられている。このロック杆４７は、作動杆４６と上部外枠鉤部４３とを連結するための前記リベットＲ２により、上部外枠鉤部４３との間に作動杆４６が位置するように上部外枠鉤部４３に取り付けられている。図１に示すように、ロック杆４７には上下方向に延びるロック杆長孔４７ａが貫設され、さらに、ロック杆４７の下端側の前端縁及び背面側端縁には、ガイドリブ４７ｂが右方向に延びるように折り曲げ形成されている。そして、このロック杆４７は上部外枠鉤部４３の傾動とともに上下動可能に設けられ、作動杆４６が上方へ移動する際にも上方へ移動する。
【００２９】
図２（ａ）に示すように、前記ロック部材取付板１８ｈの左側面には、細長板状をなすロック部材４８の下端がリベットＲ３によりかしめ着けられることによって回動可能に軸支されている。図１に示すように、このロック部材４８の上端側は、背面側へ凹むように形成され、その凹んだ位置には、前記ロック杆４７の前面側のガイドリブ４７ｂに係合可能な係合フック４８ａが形成されている。また、ロック部材４８の中央には逃げ孔４８ｃが貫設されている。
【００３０】
図２（ａ）に示すように、ロック部材４８の中央の右側面には側面視略Ｗ状をなす当接体４９がリベットＲ４によりかしめ着けられることによって回動可能に軸支されている。図１に示すように、当接体４９の上端側の前面側の縁部には四角板状をなす当接板４９ｂが右方向に延びるように形成されている。
【００３１】
図２（ａ）に示すように、前記当接体４９の下端部に第３コイルばねＣ３の一端が掛止され、同第３コイルばねＣ３の他端が前記第３ばね掛止片１８ｊに掛止されている。そして、第３コイルばねＣ３の付勢力によって、当接体４９の当接板４９ｂ側が背面側へ回動するように付勢されている。さらに、第３コイルばねＣ３によりロック部材４８の上端側が背面側へ回動するように付勢されている。
【００３２】
続いて、ガラス扉１５の前枠１３に対する施錠機構について詳述する。図２（ｂ）に示すように、側板１８ｂの内面と、前記作動杆４６の左側面との間には長四角板状のガラス扉作動体５２が上下動可能に設けられている。このガラス扉作動体５２は、前記取付長孔１８ｄから当該ガラス扉作動体５２の上部及び中央部にリベット（図示せず）がかしめ着けられることにより、側板１８ｂに上下動可能に取着されている。なお、前記リベットはロック杆４７のロック杆長孔４７ａ内に挿通されている。
【００３３】
図１に示すように、ガラス扉作動体５２の上側には、ガラス扉作動体５２の移動方向、即ち上下方向に延びる逃げ長孔５２ａが貫設されている。ガラス扉作動体５２の支持体１８に対する取付状態で、前記逃げ長孔５２ａ内に、上部外枠鉤部４３を取り付けるためのリベットＲ２が配置されている。そのため、上部外枠鉤部４３の傾動と、ガラス扉作動体５２の上下動が互いに干渉されないようになっている。
【００３４】
ガラス扉作動体５２の上下両部には、側面横コ字状の上部ガラス扉鉤部５３及び下部ガラス扉鉤部５４が一体形成され、図２（ａ）に示すように、上部及び下部ガラス扉鉤部５３，５４は固定板１８ａの前面側に突出している。図１に示すように、各ガラス扉鉤部５３、５４の中央には、上方に向かって開口する係合凹所５３ａ，５４ａがそれぞれ凹設されている。これらの係合凹所５３ａ，５４ａはガラス扉１５に設けられた図示しないガラス扉係合金具に係脱することによって、前枠１３に対してガラス扉１５を施錠及び解錠することができる。
【００３５】
ガラス扉作動体５２の中央部の背面側の縁部には、ガラス扉作動体５２の内方へ向かって斜めに延びる係合溝５２ｃが形成されている。そして、上記ガラス扉作動体５２は、前記シリンダ錠３７によるガラス扉１５の解錠操作を上部及び下部ガラス扉鉤部５３，５４に伝達するようになっている。
【００３６】
ガラス扉作動体５２において、前記係合溝５２ｃの下側の左側面には板状をなすロック体５５の上端部がリベット（図示せず）でかしめ着けされることによって回動可能に軸支されている。ロック体５５の背面側の上端縁には、第５ばね掛止片５５ａが下方向に切り欠き形成されている。
【００３７】
さらに、前記第５ばね掛止片５５ａの下側には背面側に延び、さらに右方向に延びる係止突片５５ｂが形成され、この係止突片５５ｂは前記作動杆４６の押出片４６ｄに当接可能に形成されている。また、ロック体５５の下端側の背面縁部には係合突部５５ｃが背面側へ突出形成され、この係合突部５５ｃは支持体１８の係合突片１８ｇに係合可能に形成されている。
【００３８】
そして、シリンダ錠３７によるガラス扉１５の解錠操作により、作動杆４６が押し下げられると、押出片４６ｄにより前記係止突片５５ｂが下方へ押される。その結果、ロック体５５が作動して、係合突部５５ｃと、係合突片１８ｇとの係合関係が解除される。また、作動杆４６の下方への移動がガラス扉作動体５２に伝達されて、ガラス扉作動体５２も押し下げられるとともに、上部及び下部ガラス扉鉤部５３，５４が押し下げられる。即ち、作動杆４６は、シリンダ錠３７によるガラス扉１５の解錠操作をガラス扉作動体５２に伝達し、ガラス扉鉤部５３，５４に伝達する機能と、ロック体５５を作動させて係合突部５５ｃと、係合突片１８ｇとの係合関係を解除させる機能を有する。
【００３９】
前記側板１８ｂの中央より上側には、板状をなす規制部材６０が配設され、この規制部材６０は分岐した一端部がリベット（図示せず）で側板１８ｂにかしめ着けされることによって回動可能に軸支されている。規制部材６０において、分岐した他端部には細長板状の解除片６０ａが前方に延設されている。そして、この解除片６０ａは固定板１８ａを貫通して前方に突出するように設けられている。
【００４０】
また、解除片６０ａの基端側には、四角板状のロック板６０ｂが右方向に延びるように折り曲げ形成されている。このロック板６０ｂは、ガラス扉作動体５２の上下動に伴い、規制部材６０が回動することによって前記係合溝５２ｃに係脱可能となっている。
【００４１】
さらに、図２（ａ）に示すように、規制部材６０の背面側の縁部と、前記第５ばね掛止片５５ａとには第５コイルばねＣ５の各端部がそれぞれ掛止されている。そして、この第５コイルばねＣ５の付勢力によって、ロック体５５の上端側が上方へ引っ張られ、係合突部５５ｃが係合突片１８ｇに係合する方向に付勢されている。
【００４２】
また、第５コイルばねＣ５の付勢力によって、規制部材６０は解除片６０ａが前方へ向かい、ロック板６０ｂが係合溝５２ｃに係合する方向へ回動するように付勢されている。さらに、側板１８ｂに固定された規制部材６０に第５コイルばねＣ５が取り付けられているため、第５コイルばねＣ５の付勢力によってガラス扉作動体５２はロック体５５を介して上方に付勢されている。
【００４３】
そして、図４（ａ）、（ｂ）に示すように、ロック板６０ｂが係合溝５２ｃに係合し、ガラス扉作動体５２の下方への移動が規制された状態を、ガラス扉１５に対する施錠装置１７の解錠状態とする。このとき、ロック体５５の係合突部５５ｃは係合突片１８ｇより下側に位置し、互いに係合不能な位置に配置されている。一方、図５（ａ）に示すように、ロック板６０ｂが係合溝５２ｃから離脱し、ロック体５５の係合突部５５ｃが係合突片１８ｇに係合可能な位置に配置された状態を、ガラス扉１５に対する施錠装置１７の施錠状態とする。
【００４４】
次に、施錠装置１７の使用方法を作用とともに説明する。
まず、施錠装置１７を前枠１３に装着するには、各上皿扉鉤部２１、シリンダ錠３７の先端、各ガラス扉鉤部５３、５４及び解除片６０ａを前枠１３に形成された図示しない挿通孔に挿通させ、図７に示すように、固定板１８ａの前面を前枠１３の四角枠状の縦枠の背面に当接させる。そして、前枠１３に固定板１８ａをねじ等で固定する。このとき、図６に示すように各上皿扉鉤部２１、シリンダ錠３７の先端、各ガラス扉鉤部５３、５４及び解除片６０ａは前枠１３の前面に突出するようになっている。
【００４５】
次に、前枠１３に対して上皿扉１６を施錠するには、上皿扉１６を閉止方向に回動させる。すると、各上皿扉鉤部２１の先端が上皿扉係合金具２４に摺動され、各上皿扉鉤部２１は第４コイルばねＣ４の付勢力に抗して下方に移動する。そして、各上皿扉鉤部２１の係合凹所２３が上皿扉係合金具２４に係合するとともに、第４コイルばねＣ４の付勢力によって各上皿扉鉤部２１が上方に移動復帰される。第４コイルばねＣ４の付勢力によって各上皿扉鉤部２１の係合状態が維持されることによって、前枠１３に対する上皿扉１６の施錠が維持されている。
【００４６】
続いて、上皿扉１６を解錠するには、前枠１３を解錠して手動上皿扉解除片２８を第４コイルばねＣ４の付勢力に抗して、手動で下方に押し下げる。すると、各上皿扉鉤部２１の係合凹所２３と上皿扉係合金具２４の係合が解除され、上皿扉１６を解錠することができる。
【００４７】
次に、開放状態の前枠１３を外枠１２に施錠するには、前枠１３を閉止方向に回動させる。すると、上部外枠鉤部４３及び下部外枠鉤部４４は、外枠係合金具４５当接することによって、第２及び第４コイルばねＣ２，Ｃ４の付勢力に抗して先端が下がる方向に傾動するとともに、作動杆４６が上部外枠鉤部４３により引き上げられる。
【００４８】
このとき、上部及び下部外枠鉤部４３，４４において、下側の傾動規制片４３ｂ，４４ｂがそれぞれ上部及び下部鉤部固定板４１，４２の下端縁に当接して、上部及び下部外枠鉤部４３，４４の傾動量が規制される。また、上部外枠鉤部４３の傾動に伴い、ロック杆４７も引き上げられる。このとき、ガイドリブ４７ｂによりロック杆４７は作動杆４６に沿って上方へ移動する。また、ロック杆４７の移動の際、ガラス扉作動体５２を側板１８ｂに取り付けるためのリベット（図示せず）に沿ってロック杆長孔４７ａが移動するため、ロック杆４７の移動がガラス扉作動体５２に干渉しない。
【００４９】
作動杆４６の上方への移動とほぼ同時に、当接板４９ｂが、図３（ａ）に２点鎖線に示すように、外枠１２の前面に当接し、さらに、前枠１３の回動により当接板４９ｂを介して、当接体４９が施錠装置１７の前面側へ押圧される。当接体４９が押圧されることにより、ロック部材４８の上端側が施錠装置１７の前面側へ向かうように第３コイルばねＣ３の付勢力に抗して押圧される。
【００５０】
そして、図３（ａ）に示すように、係合凹所４３ａ，４４ａが外枠係合金具４５に係合すると、伸張した第２及び第４コイルばねＣ２，Ｃ４の下方への付勢力によって、各外枠鉤部４３、４４の先端が上方へ向かうように傾動して水平状態に復帰される。このとき、上部及び下部外枠鉤部４３，４４において、上側の傾動規制片４３ｂ，４４ｂがそれぞれ上部及び下部鉤部固定板４１，４２の上端縁に当接して、上部及び下部外枠鉤部４３，４４の傾動量が規制される。また、上部外枠鉤部４３の復帰に伴い、ロック杆４７が下方へ移動する。
【００５１】
第２及び第４コイルばねＣ２，Ｃ４の付勢力によって、係合凹所４３ａ，４４ａが外枠係合金具４５に係合した状態が維持され、外枠１２に対する前枠１３の施錠が維持される。また、係合凹所４３ａ，４４ａが外枠係合金具４５に係合すると、係合フック４８ａがロック杆４７のガイドリブ４７ｂに係合する。その係合により、ロック杆４７の移動が規制され、そのロック杆４７が取り付けられた上部外枠鉤部４３の傾動が規制される。
【００５２】
そのため、不正部材等により上部外枠鉤部４３を不正操作して傾動させようとしても、ガイドリブ４７ｂと係合フック４８ａとの係合により、ロック杆４７を介して作動杆４６の移動が規制される。その結果、係合凹所４３ａが外枠係合金具４５に係合した状態が維持されるとともに、外枠１２に対する前枠１３の施錠が維持される。
【００５３】
続いて、外枠１２から前枠１３を解錠するには、シリンダ錠３７に鍵４０を差し込み、前方から見て時計方向に回転させ、シリンダ錠３７による前枠１３の外枠１２からの解錠操作を行う。第２脚片３８ｂがロック部材４８の前端縁に摺接することによってロック部材４８は上端側が背面側へ押し出されるように回動される。すると、図３（ｂ）に示すように、ガイドリブ４７ｂに対する係合フック４８ａの係合状態が解除される。さらに、第３コイルばねＣ３の付勢力により、当接板４９ｂが背面側へ向かうように当接体４９が回動し、ロック部材４８も上端側が背面側へ向かうように回動する。
【００５４】
さらに、鍵４０を前記時計方向に回転させると、第２脚片３８ｂの先端は第２係止長孔４６ｃの内周縁に係止し、カム板３８の回転によって作動杆４６が押し上げられる。このとき、リベットＲ２も上方へ移動するが、ガラス扉作動体５２の逃げ長孔５２ａ内を移動するため、逃げ長孔５２ａとリベットＲ２とが干渉することはない。
【００５５】
すると、各外枠鉤部４３、４４は先端側が下方に向かうように傾動される。これに伴って、係合凹所４３ａ，４４ａと外枠係合金具４５の係合が解除され、外枠１２から前枠１３が解錠される。このとき、上部及び下部外枠鉤部４３，４４は第２及び第４コイルばねＣ２，Ｃ４の付勢力に抗して傾動し、それら第２及び第４コイルばねＣ２，Ｃ４は伸張した状態となる。
【００５６】
解錠後、鍵４０を原位置へ復帰回転させると、伸張した第２及び第４コイルばねＣ２，Ｃ４の付勢力により上部及び下部外枠鉤部４３，４４が先端側が上方へ向かうように傾動され、各外枠鉤部４３、４４が水平状態に復帰される。上部外枠鉤部４３が水平状態に復帰するに伴い作動杆４６及びロック杆４７も下方へ移動する。
【００５７】
次に、開放状態のガラス扉１５を前枠１３に施錠するには、図４（ａ）に示すように、施錠装置１７がガラス扉１５に対して解錠状態にあるとき、ガラス扉１５を閉止方向に回動させる。すると、ガラス扉１５の背面が解除片６０ａに当接するとともに、図５（ａ）に示すように、解除片６０ａは、背面側へ押し出され、規制部材６０は第５コイルばねＣ５の付勢力に抗して背面方向に回動し、第５コイルばねＣ５は伸張される。そして、ロック板６０ｂと係合溝５２ｃとの係合が解除されると、伸張した第５コイルばねＣ５の付勢力によってロック体５５が引き上げられる。
【００５８】
すると、各ガラス扉鉤部５３、５４が図４（ａ）、（ｂ）に示す位置から図５（ａ）に示す位置まで移動し、ガラス扉係合金具（図示せず）に係合する。さらに、ガラス扉作動体５２が引き上げられると、ロック体５５も上方へ移動する。ガラス扉作動体５２の上方への移動の際、ロック体５５は第５コイルばねＣ５の付勢力によって、係合突片１８ｇに圧接されている。そして、係合突片１８ｇにより、ロック体５５の下端側が前面側へ回動し、係合突部５５ｃが係合突片１８ｇを通過する。ロック体５５が上方へ引き上げられ、係合突片１８ｇより係合突部５５ｃが上側に位置すると、ロック体５５は上端側が第５コイルばねＣ５により引っ張られるため、下端側は背面側へ回動される。
【００５９】
そして、施錠装置１７がガラス扉１５に対して施錠状態となり、ガラス扉１５が前枠１３に施錠される。この施錠状態でガラス扉作動体５２を下方へ移動させる不正操作が行われても、係合突部５５ｃの係合突片１８ｇに対する係合によりガラス扉作動体５２の下方への移動が規制される。
【００６０】
続いて、前枠１３からガラス扉１５を解錠するには、施錠装置１７がガラス扉１５に対して施錠状態にあるとき、シリンダ錠３７に鍵４０を差し込み、前方から見て反時計方向に回転する。すると、図５（ｂ）に示すように、第１脚片３８ａが逃げ孔４８ｃ内を通過して第１係止長孔４６ｂの内周縁に係止し、さらにカム板３８が回転されることにより、作動杆４６が第１コイルばねＣ１の付勢力に抗して押し下げられる。
【００６１】
このとき、リベットＲ２は、作動長孔４６ａに挿通されている。そのため、作動杆４６の移動の際、前記リベットＲ２に対し作動杆４６は干渉せず、上部及び下部外枠鉤部４３，４４は傾動されない。作動杆４６の下方への移動に伴い、押出片４６ｄが係止突片５５ｂに係止してロック体５５を下方へ押圧する。すると、ロック体５５は、下端側が前面側に向かうように第５コイルばねＣ５の付勢力に抗して回動され、係合突部５５ｃが係合突片１８ｇと係合可能な位置関係が解除される。即ち、ガラス扉作動体５２への下方への移動が規制された状態が解除される。
【００６２】
さらに、カム板３８が回転されることにより、第１脚片３８ａによって作動杆４６が押し下げられ、その作動杆４６の押出片４６ｄとロック体５５の係止突片５５ｂとが係止する。そして、押出片４６ｄによって、ロック体５５が第５コイルばねＣ５の付勢力に抗して押し下げられるとともに、ガラス扉作動体５２が押し下げられる。その結果、各ガラス扉鉤部５３、５４とガラス扉係合金具との係合が解除される。
【００６３】
さらに、押出片４６ｄと係止突片５５ｂが係止することにより、ロック体５５を介してガラス扉作動体５２が作動杆４６によって押し下げられる。このとき、リベットＲ２に沿って逃げ長孔５２ａが移動するため、リベットＲ２とガラス扉作動体５２とが干渉することはない。加えて、ガラス扉作動体５２を側板１８ｂに取り付けるためのリベット（図示せず）はロック杆長孔４７ａに挿通されている。そのため、ガラス扉作動体５２が押し下げられるとき、リベットはロック杆長孔４７ａ内を移動するため、リベットとロック杆４７とが干渉することはない。
【００６４】
また、ガラス扉作動体５２が押し下げられることにより、係合溝５２ｃがロック板６０ｂに近づき、さらに、伸張された第５コイルばねＣ５により規制部材６０が前面側へ引っ張られ、解除片６０ａが前方へ突出する方向へ回動される。すると、図４（ｂ）に示すように、ロック板６０ｂが係合溝５２ｃに係合し、ガラス扉作動体５２の上下動が規制されて、ガラス扉１５に対する施錠装置１７の解錠状態になる。
【００６５】
実施形態の施錠装置１７によれば、以下のような特徴を得ることができる。
（１）作動杆４６により上部及び下部外枠鉤部４３，４４を傾動させて外枠係合金具４５との係合を解除させることができるとともに、ロック体５５を介してガラス扉作動体５２を作動させて上部及び下部ガラス扉鉤部５３，５４とガラス扉係合金具との係合を解除させることができる。即ち、作動杆４６の一部材で前枠１３及びガラス扉１５の解錠を行うことができ、前枠１３及びガラス扉１５の各解錠を行うために別々の作動体を作動させていた従来と異なり、施錠装置１７の部品点数を減らすことができる。
【００６６】
（２）ガラス扉１５の解錠時に、作動長孔４６ａ及び逃げ長孔５２ａにより、作動杆４６及びガラス扉作動体５２と上部及び下部外枠鉤部４３，４４とを連結するリベットＲ２とが干渉することがなく、上部及び下部外枠鉤部４３，４４を傾動させることはない。また、前枠１３の解錠時に逃げ長孔５２ａ内でリベットＲ２が移動するため、リベットＲ２がガラス扉作動体５２と干渉することがなく、ガラス扉作動体５２を移動させることはない。従って、前枠１３及びガラス扉１５のいずれか一方の解錠操作が行われている際に、他方が施錠されていた場合、その他方が解錠されてしまう虞をなくすことができる。
【００６７】
（３）上部外枠鉤部４３と下部外枠鉤部４４とを独立して傾動可能に形成した。そのため、不正操作等により上部及び下部外枠鉤部４３，４４のいずれか一方と外枠係合金具４５との係合が解除されても、他方と外枠係合金具４５との係合を維持することができる。従って、前枠１３が不正操作により容易に解錠される虞をなくすことができる。
【００６８】
（４）ロック体５５は、作動杆４６の動作をガラス扉作動体５２に伝達して同ガラス扉作動体５２を作動させる機能と、係合突部５５ｃが係合突片１８ｇに係合してガラス扉作動体５２の移動を規制する機能とを発揮させることができる。従って、各機能を別々の部材で発揮させる場合と比較して、ガラス扉１５の施錠機構を安定して作動させることができるとともに、部品点数を少なくして構造を簡易化することができる。
【００６９】
（５）係合突部５５ｃが係合する係合突片１８ｇを側板１８ｂを切り起こして形成した。そのため、係合突部５５ｃの係合する部位を支持体１８とは別に設ける場合と比較して、ガラス扉作動体５２の移動を確実に規制して、ガラス扉１５の不正な開放を防止することができる。
【００７０】
（６）上部外枠鉤部４３にロック杆４７を連結し、そのロック杆４７のガイドリブ４７ｂと係合フック４８ａとの係合により上部外枠鉤部４３の傾動を規制することができる。従って、前枠１３が不正操作により容易に解錠される虞をなくすことができる。
【００７１】
（７）上部及び下部外枠鉤部４３，４４にそれぞれ傾動規制片４３ｂ，４４ｂを形成し、その傾動規制片４３ｂ，４４ｂと上部及び下部鉤部固定板４１，４２との当接により上部及び下部外枠鉤部４３，４４の傾動を規制することができる。従って、作動杆４６に傾動規制片を形成し、その傾動規制片により作動杆４６の移動を規制して上部及び下部外枠鉤部４３，４４の傾動を規制する場合と比較して、上部及び下部外枠鉤部４３，４４の傾動を直接的に規制することができ、外枠係合金具４５との係合及び解除を直接的に行うことができる。
【００７２】
なお、前記実施形態を次のように変更して具体化することも可能である。
・　実施形態では、係合部位としての係合突片１８ｇを側板１８ｂを切り起こして形成したが、側板１８ｂに別部材を溶接等して係合部位を形成してもよい。
【００７３】
・　実施形態では、上部外枠鉤部４３の傾動を規制するロック杆４７を設けたが、ロック杆４７を省略してもよい。また、下部外枠鉤部４４にロック杆４７を設け、そのロック杆４７のガイドリブ４７ｂに係合可能なロック部材４８を支持体１８に設け、上部及び下部外枠鉤部４３，４４の傾動を規制してもよい。
【００７４】
・　実施形態では、上部及び下部外枠鉤部４３，４４に傾動規制片４３ｂ，４４ｂを設けたが、傾動規制片４３ｂ，４４ｂを省略してもよい。また、作動杆４６に規制片を形成し、その作動杆４６の規制片により作動杆４６の移動量を規制して、上部及び下部外枠鉤部４３，４４の傾動量を規制してもよい。
【００７５】
・　実施形態では、規制部材６０を右方向に折り曲げてロック板６０ｂを形成したが、そのロック板６０ｂの先端をさらに折り曲げて平面略Ｕ字状に形成してもよい。このように構成した場合、ロック板６０ｂの先端内面がガラス扉作動体５２の右側面に当接するため、ロック板６０ｂをガラス扉作動体５２の近傍位置に配置することができる。従って、ロック板６０ｂの係合溝５２ｃに対する係合を確実に行わせることができる。
【００７６】
・　前記各コイルばねＣ１〜Ｃ５を、板ばねやゴム等の他の付勢部材にそれぞれ変更してもよい。
次に上記実施形態及び別例から把握できる技術的思想について、それらの効果とともに以下に追記する。
【００７７】
（１）前記支持体の係合部位は、支持体を切り起こして形成されていることを特徴とする請求項１〜請求項３のいずれか一項に記載の遊技機における施錠装置。このように構成した場合、ロック体の係合する係合部位を支持体とは別に設ける場合と比較して、ガラス扉作動体の移動を確実に規制して、ガラス扉の不正な開放を防止することができる。
【００７８】
（２）前記外枠鉤部は一対設けられ、各鉤部はそれぞれ作動杆に対して独立して傾動可能に設けられていることを特徴とする請求項１〜請求項３及び前記技術的思想（１）のいずれか一項に記載の遊技機における施錠装置。このように構成した場合、不正操作等により一対の外枠鉤部のいずれか一方と外枠との係合が解除されても、他方の外枠鉤部と外枠との係合を維持することができる。従って、前枠が不正操作により容易に解錠される虞をなくすことができる。
【００７９】
（３）前記外枠鉤部は支持体に対してリベットにより傾動可能に軸支され、前記作動杆は、同作動杆の移動方向に延びる作動長孔から前記リベットが外枠鉤部にかしめ着けられることにより、当該外枠鉤部と連結されているとともに、ガラス扉作動体の移動方向に延びる逃げ長孔内に前記リベットが配置されていることを特徴とする請求項１〜請求項３、前記技術的思想（１）及び（２）のいずれか一項に記載の遊技機における施錠装置。このように構成した場合、ガラス扉の解錠時に作動杆及びガラス扉作動体を移動させても、作動長孔及び逃げ長孔がリベットに沿って移動するため、リベットに作動長孔及び逃げ長孔が干渉することなく、外枠鉤部を傾動させることはない。また、前枠の解錠時に作動杆を移動させても逃げ長孔内でリベットが移動するため、リベットがガラス扉作動体と干渉することがなく、ガラス扉作動体を移動させることはない。従って、前枠及びガラス扉のいずれか一方の解錠操作が行われている際に、他方が施錠されていた場合、その他方が解錠されてしまう虞をなくすことができる。
【００８０】
【発明の効果】
以上、詳述したように、請求項１に記載の発明によれば、一体の作動杆でガラス扉及び前枠の解錠を行うことができ、部品点数を減らすことができる。
【００８１】
請求項２に記載の発明によれば、請求項１に記載の発明の効果に加え、傾動規制片により外枠鉤部の傾動量を規制することができる。従って、作動杆に傾動規制片を形成し、作動杆の移動量を規制して外枠鉤部の傾動量を規制する場合と比較して、外枠鉤部の傾動量を直接的に規制することができ、外枠との係合及び解除を正確に行うことができる。
【００８２】
請求項３に記載の発明によれば、請求項１又は請求項２に記載の発明の効果に加え、ロック杆とロック部材との係合により外枠鉤部の傾動を規制することができる。従って、前枠が不正操作により容易に解錠される虞をなくすことができる。
【図面の簡単な説明】
【図１】実施形態の施錠装置を示す分解斜視図。
【図２】（ａ）は施錠装置を示す側断面図、（ｂ）は施錠装置を示す背面図。
【図３】（ａ）は前枠と外枠との施錠時の施錠装置を示す部分側断面図、（ｂ）は前枠の外枠に対する解錠時の施錠装置を示す部分側断面図。
【図４】（ａ）はガラス扉に対する解錠時の施錠装置を示す部分側断面図、（ｂ）はロック板と係合溝との係合状態を示す部分破断側面図。
【図５】（ａ）はガラス扉に対する施錠時の施錠装置を示す部分破断側面図、（ｂ）はガラス扉作動体が押し下げられた状態を示す部分側面図。
【図６】ガラス扉及び上皿扉が解錠された前枠を示す斜視図。
【図７】前枠が解錠されたパチンコ遊技機を示す斜視図。
【符号の説明】
１１…遊技機としてのパチンコ遊技機、１２…外枠、１３…前枠、１４…遊技盤、１５…ガラス扉、１７…施錠装置、１８…支持体、１８ｇ…係合部位としての係合突片、３７…錠部材としてのシリンダ錠、４１，４２…上部及び下部鉤部固定板、４３，４４…上部及び下部外枠鉤部、４３ｂ，４４ｂ…傾動規制片、４６…作動杆、４７…ロック杆、４８…ロック部材、５２…ガラス扉作動体、５３，５４…上部及び下部ガラス扉鉤部、５５…ロック体。
【図１】
2004049304.tif 000003
【図２】
2004049304.tif 000004
【図３】
2004049304.tif 000005
【図４】
2004049304.tif 000006
【図５】
2004049304.tif 000007
【図６】
2004049304.tif 000008
【図７】
2004049304.tif 000009